(57)【要約】【課題】コンパクトで簡易性が有り、冷風感や熱風感を与えることが少ない送風機を得る。【解決手段】プロペラファン１のブレード２の外周にリング３を設け、リング３の外周にプロペラファン１とは反対方向の風を形成する外ブレード４を設けた羽根車５を、第１の風路６を形成する筒状の内側ケーシング７の中心線上に支持させたモーター８の回転軸９に装着し、内側ケーシング７及び羽根車５の外周を囲み、外ブレード４の回転する第２の風路１０を形成する外側ケーシング１１を設け、ブレード２と外ブレード４によって形成される第１の風路６と第２の風路１０の気流の混合割合を調整するスライドシャッター１６を備える。【選択図】          図１
2004251190.tif 000002
【特許請求の範囲】
【請求項１】
プロペラファンのブレードの外周にリングを設け、このリングの外周に前記プロペラファンとは反対方向の風を形成する外ブレードを設けた羽根車を、第１の風路を形成する筒状の内側ケーシングの中心線上に支持させたモーターの回転軸に装着し、この内側ケーシング及び前記羽根車の外周を囲み、前記外ブレードの回転する第２の風路を形成する外側ケーシングを設け、前記ブレードと前記外ブレードによって形成される前記第１の風路と前記第２の風路の気流の混合割合を調整する風量調整手段を備えた送風機。
【請求項２】
請求項１に記載の送風機であって、風量調整手段を、第１の風路の全閉から全開までの調整が可能な可動シャッターで構成した送風機。
【請求項３】
請求項１又は請求項２のいずれかに記載の送風機であって、内側ケーシングを軸方向にスライド可能に構成し、風量調整手段を、この内側ケーシングのスライドにより第２の風路の全閉から全開までの調整を可能に構成した送風機。
【請求項４】
請求項１〜請求項３までのいずれかに記載の送風機であって、外側ケーシングにモーターを支持させた送風機。
【請求項５】
請求項１〜請求項４までのいずれかに記載の送風機であって、羽根車のブレードと外側ブレードの送風能力を同じに構成した送風機。
【請求項６】
請求項１〜請求項４までのいずれかに記載の送風機であって、羽根車のブレードと外側ブレードの送風能力を変化させて構成した送風機。
【請求項７】
請求項１〜請求項６までのいずれかに記載の送風機であって、内側ケーシングを断熱性の高い材料で構成した送風機。
【発明の詳細な説明】
【０００１】
【発明の属する技術分野】
本発明は、同時に二方向の風を形成する、主として換気送風機として使用される送風機に関するものである。
【０００２】
【従来の技術】
同時に二方向の風を形成する送風機としては、内側の空気を外側に送出する送出空気流を生じさせる換気用ファンと、換気用ファンの外周辺に設けた外側の空気を内側に送入する送入空気流を生じさせる吸気用ファンを備えたものがある（例えば、特許文献１参照）。
【０００３】
【特許文献１】
特開２００１−２０８９３号公報（第１頁―第２頁、図１）
【０００４】
【発明が解決しようとする課題】
上記した従来の換気装置においては、換気用ファンで室内の汚れた空気を強制的に外に換気すると共に、吸気用ファンで換気用ファンの外側に屋外の綺麗な空気を吸気するもので周辺が汚れること無く換気用ファンのみを清掃することで簡単に清掃ができるものである。強制給排気式の送風機で換気を行う場合、給気は室外の温度のまま行われ、冬季には室内に居る人に冷風感を感じさせることがあり、夏季には熱風感を感じさせることがある。給排気流間で熱交換を行わせる熱交換器を組込んだものも有るが、大型で簡易性に欠けるという問題点がある。
【０００５】
本発明は、係る従来の問題点を解決するためになされたものであって、その課題とするところは、コンパクトで簡易性が有り、冷風感や熱風感を与えることが少ない送風機を得ることであり、その送風機の機能の充実を図ることである。
【０００６】
【課題を解決するための手段】
前記課題を達成するために本発明は、プロペラファンのブレードの外周にリングを設け、このリングの外周にプロペラファンとは反対方向の風を形成する外ブレードを設けた羽根車を、第１の風路を形成する筒状の内側ケーシングの中心線上に支持させたモーターの回転軸に装着し、内側ケーシング及び羽根車の外周を囲み、外ブレードの回転する第２の風路を形成する外側ケーシングを設け、ブレードと外ブレードによって形成される第１の風路と第２の風路の気流の混合割合を調整する風量調整手段を備える手段を採用する。
【０００７】
【発明の実施の形態】
実施の形態１．
図１に横断平面図で示す本実施の形態の送風機は、強制給排気式の換気装置を構成するものであり、プロペラファン１のブレード２の外周にリング３が設けられ、このリング３の外周にプロペラファン１とは反対方向の風を形成する外ブレード４が設けられた羽根車５を備えている。羽根車５は、第１の風路６を形成する筒状の内側ケーシング７の中心線上に支持されたモーター８の回転軸９に装着されている。羽根車５のリング３の一端は、内側ケーシング７に回転可能に連絡していて、第１の風路６をリング３が延長する形態に組付けられている。この内側ケーシング７及び羽根車５の外周は、外ブレード４の回転する第２の風路１０を形成する外側ケーシング１１に囲まれている。内側ケーシング７及びモーター８は外側ケーシング１１に支持脚１２によって支持されている。ただし、モーター８については内側ケーシング７に直接支持してもよい。
【０００８】
内側ケーシング７の室内側端には、外側ケーシング１１の室内側端と間隔を置いて対向するフランジ１３が半径方向に張出され、内側ケーシング７の室内開口端は、給気吹出口１４として給気ガラリが装着され、その奥側には防虫フィルター等のフィルター１５が装着されている。給気ガラリの外側には、第１の風路６を全閉から全開にできる風量調整手段としてのスライドシャッター１６が設けられている。外側ケーシング１１の室外側端は、羽根車５のリング３の一端より室外側に延び、その端にはリング３の外周にまで延出するフランジ１７が形成されている。
【０００９】
この送風機は、壁体Ｗを貫いて室内外に通じるパイプ状の通風路１８に、室内側から挿通させて簡単に取付けることができる。スライドシャッター１６を全開にしてモーター８を運転させると、室外の空気がプロペラファン１により吸込まれ、リング３内を通過し、第１の風路６を経て、給気吹出口１４から室内へ給気される。同時に外ブレード４の回転により、室内の空気が内側ケーシング７のフランジ１３と外側ケーシング１１の端との間から第２の風路１０に吸込まれる。そして、リング３の外周を経てリング３の室外側端とフランジ１７との間から内向きに流れ、吸込まれている室外の空気に混ざり第１の風路６から室外の空気と混合して室内に吹出される。
【００１０】
つまり、通常は敬遠される給排気短絡を利用して、室外の空気に室内の空気をミキシングすることによって、給気される空気の温度が室内の空気の温度に近いものとなり、冷風感や熱風感を減じることができる。スライドシャッター１６の開放度を少なくすることにより、室内の空気の比率が多くなり、室外の空気が減少してより室温に近い給気となる。また、スライドシャッター１６を全閉にすると室外の空気の給気は無くなり、外ブレード４の回転による気流のみとなり、室内の空気を室外へ排気することができる。即ち、この送風機はコンパクトで簡易性が高く、送風機能も充実したものとなる。
【００１１】
実施の形態２．
図２に横断平面図によって示す本実施の形態は、実施の形態１で示した送風機にもう一つのスライドシャッターを設けたものであり、このスライドシャッターに係る構成以外は実施の形態１のものと同じである。従って、実施の形態１のものと同じ部分については実施の形態１のものと同じ符号を用いそれらについての説明は省略する。
【００１２】
本実施の形態の送風機には、外側ケーシング１１の室外側端にフランジ１７による開口部を全閉から全開までにその開度を調整できる第２のスライドシャッター１９が設けられている。第２のスライドシャッター１９を全閉にすることにより、第２の風路１０の室内の空気を第１の風路６に吸込ませ、再び室内へ吹出させることができ、サーキュレーターの機能を果たさせることができる。これ以外の機能は、実施の形態１のものと同じである。
【００１３】
実施の形態３．
図３の横断平面図によって示す本実施の形態は、実施の形態２で示した送風機にもう一つの風量調整手段を設けたものであり、この風量調整手段に係る構成以外は実施の形態２のものと同じである。従って、実施の形態１及び実施の形態２のものと同じ部分についてはそれらのものと同じ符号を用い、その説明は省略する。
【００１４】
本実施の形態の送風機には、第２の風路１０の室内側の開口部を全閉から全開までにその開度を調整できる風量調整手段２０が設けられている。この風量調整手段２０は、内側ケーシング７を軸方向に摺動できるように構成し、その室内側のフランジ１３によって外側ケーシング１１との間隔を大きくしたり全閉まで小さくしたりすることができるように構成されている。この風量調整手段２０により、室外の空気に混ぜる室内の空気の割合を調整することができ、また、全閉にさせることにより室外の空気だけの給気を行うことができる。また、運転停止時に風量調整手段２０と第２のスライドシャッター１９を全閉にすることで、製品全体が外気の温度を遮断する空気断熱層として機能させることができるので、室内側表面部の結露防止ができる。これ以外の機能は実施の形態１及び実施の形態２のものと同じである。
【００１５】
実施の形態４．
図５の横断平面図によって示す本実施の形態は、実施の形態１〜実施の形態３までに示した送風機のモーターを内側ケーシングの外に設けたものであり、これに係る構成以外は実施の形態１〜実施の形態３のものと同じである。従って、各実施の形態のものと同じ部分についてはそれらのものと同じ符号を用い、その説明は省略する。
【００１６】
本実施の形態の送風機は、モーター８が内側ケーシング７の外に配置されている。この構成を採ることにより直接、モーター８を支持脚１２によって外側ケーシング１１に固定することができ、組立ての容易な簡素な構成とすることができる。これ以外の機能は各実施の形態のものと同じである。なお、各実施の形態とも、羽根車５におけるブレード２と外ブレード４の送風方向を図５に示すように反対に構成することにより、給排気の風路を反対にすることもできる。
【００１７】
実施の形態５．
本実施の形態は、実施の形態１〜実施の形態４までに示した内側ケーシングを断熱性の高い材料で構成したものであり、内側ケーシングに係る構成以外は実施の形態１〜実施の形態４のものと同じである。従って、実施の形態１のものの図面を援用して説明することにする。
【００１８】
本実施の形態の送風機は、その内側ケーシング７が伝熱性の高い樹脂などで構成されている。第２のスライドシャッター１９により室内の空気と外気の間に断熱空気層を形成することができ、運転停止時にフランジ１３など室内側に結露の発生することを防止することができる。
【００１９】
実施の形態６．
図６と図７の斜視図によって示す本実施の形態は、実施の形態１〜実施の形態５までに示した送風機の羽根車に係るものであり、それ以外の構成は各実施の形態のものと同じである。従って、各実施の形態のものと同じ部分についてはそれらのものと同じ符号を用い、その説明は省略する。
【００２０】
本実施の形態の送風機は、その羽根車５がプロペラファン１と外ブレード４によるファンの送風能力を図６に示すように同じにするか、図７に示すように違えた構成にしてある。これにより、羽根車５自体の構成により、給気と排気の風量や風速の設定が変えられ、給気優先としたり排気優先としたり、同等にしたりすることができ、多様な機能を付与できる。
【００２１】
【発明の効果】
本発明によれば、コンパクトで簡易性が有り、冷風感や熱風感を与えることが少ない送風機が得られる。
【図面の簡単な説明】
【図１】実施の形態１の送風機を示す横断平面図である。
【図２】実施の形態２の送風機を示す横断平面図である。
【図３】実施の形態３の送風機を示す横断平面図である。
【図４】実施の形態４の送風機を示す横断平面図である。
【図５】実施の形態４の他の送風機を示す横断平面図である。
【図６】実施の形態６の送風機の羽根車を示す斜視図である。
【図７】実施の形態６の送風機の他の羽根車を示す斜視図である。
【符号の説明】
１  プロペラファン、  ２  ブレード、  ３  リング、  ４  外ブレード、  ５  羽根車、  ６  第１の風路、  ７  内側ケーシング、  ８  モーター、  ９回転軸、  １０  第２の風路、  １１  外側ケーシング、  １６  スライドシャッター、  １９  第２のスライドシャッター、  ２０  風量調整手段。
【図１】
2004251190.tif 000003
【図２】
2004251190.tif 000004
【図３】
2004251190.tif 000005
【図４】
2004251190.tif 000006
【図５】
2004251190.tif 000007
【図６】
2004251190.tif 000008
【図７】
2004251190.tif 000009